(57)【要約】      （修正有）【課題】建物の工事をする作業者が建物内側に落下する事故を防ぐ落下防止ネットを、建物の内側に広げて掛ける落下防止ネット用フックを提供する。【解決手段】落下防止ネット用フック１は、装着用板部２とフック部３とを有する金属板製のプレス一体成型品であり、フック部は横幅を有する板面で構成されている。フック部は、背板部４と底板部５と前板部６とを備える。前板部は背板部と同程度の上下高さがあってフック部の掛口が深くなっており、前板部は垂直方向よりも後方に傾斜している。【選択図】図２
0003230178.tif 000002
【実用新案登録請求の範囲】
【請求項１】
建物上階の工事における、作業者が建物内側の下階に落下する事故及び、建築用資材や工具等の落下による下階での破損や事故を防ぐ落下防止ネットを、建物の内側空間に広げて掛けるフックであり、
前記建物を構築する木材や鋼材に装着する面になる装着用板部と、落下防止ネットを掛けるフック部とを有する金属板製のプレス一体成型品であり、
前記装着用板部には、前記装着に用いるねじのねじ軸部を挿通させる孔があり、
前記フック部は、横幅がある板面で構成され、
該フック部は、装着用板部の下端から前下方に延出して設けられた背板部と、該背板部の下端から前方に延出して設けられた底板部と、該底板部の前端から上方に起立して設けられた前板部とを備え、
前記前板部は前記背板部と同程度の上下高さがあって前記フック部の掛け口が深くなっており、
該前板部は、垂直方向よりも後方に傾斜していることを特徴とする落下防止ネット用フック。
【請求項２】
前記底板部は、前上がりに傾斜している、請求項１に記載の落下防止ネット用フック。
【請求項３】
前記底板部から前記前板部の途中高さに至る板面中央に、補強用の凸条が形成されている、請求項１又は２に記載の落下防止ネット用フック。
【請求項４】
前記底板部から前記前板部の途中高さに至る板面が、中高の弧状を有している、請求項１又は２に記載の落下防止ネット用フック。
【考案の詳細な説明】
【技術分野】
【０００１】
本願考案は、建物の上階の工事をする作業者が建物内側の下階に落下する事故、建築用資材や工具等の落下による下階における破損や事故を防ぐ落下防止ネットを、建物の内側に広げて掛ける、落下防止ネット用フックに関する。
【背景技術】
【０００２】
落下防止ネットを掛けるフックの市販品（従来技術）を図１４（ａ）（ｂ）に示す。このフック０は、亜鉛メッキ鋼板による碇（いかり）形のプレス成型品である。このフック７０は、図１４（ｃ）~（ｆ）に示すように柱８０の側面に木ねじを用いて装着される。この後、フック７０，７０・・・に落下防止ネット２０が掛けられる。
【０００３】
しかしながら、この形状のフック７０は、掛け口７０ａが浅いため、強風で落下防止ネット２０が煽（あお）られたときに、落下防止ネット２０の掛止が外れるおそれがある。また、このフック７０は、落下防止ネット２０を板厚部分で掛けるため、落下防止ネット２０に強い引張り荷重が加わったときに、落下防止ネット２０の掛止している部分が傷んだり、破断するおそれがある。
【考案の概要】
【考案が解決しようとする課題】
【０００４】
本願考案は、
（１）落下防止ネットを簡単な操作で確実に掛けることができ、
（２）落下防止ネットに所定範囲内の強い外力が加わっても落下防止ネットの傷付きや切断のおそれが従来のフックと比較して格段に低く、
（３）荷重強度と引張り強度に優れ、
（４）落下防止ネットの不用意な掛け外れが生じにくい、落下防止ネット用フックを提供することを解決課題とする。
【課題を解決するための手段】
【０００５】
請求項１に対応した第１の態様の落下防止ネット用フックは、次の構成を備える。
（１）建物上階の工事における、作業者が建物内側の下階に落下する事故及び、建築用資材や工具等の落下による下階での破損や事故を防ぐ落下防止ネットを、建物の内側空間に広げて掛けるフックである。
（２）前記建物を構築する木材や鋼材に装着する面になる装着用板部と、落下防止ネットを掛けるフック部とを有する金属板製のプレス一体成型品である。
（３）前記装着用板部には、前記装着に用いるねじのねじ軸部を挿通させる孔がある。
（４）前記フック部は、横幅がある板面で構成されている。
（５）該フック部は、装着用板部の下端から前下方に延出して設けられた背板部と、該背板部の下端から前方に延出して設けられた底板部と、該底板部の前端から上方に起立して設けられた前板部とを備えている。
（６）前記前板部は前記背板部と同程度の上下高さがあって前記フック部の掛け口が深くなっている。
（７）該前板部は、垂直方向よりも後方に傾斜している。
【０００６】
請求項２に対応した第２の態様の落下防止ネット用フックは、次の構成を備える。
（１）前記第１の態様の落下防止ネット用フックと同じ構成を備える。
（２）前記底板部は、前上がりに傾斜している。
【０００７】
請求項３に対応した第３の態様の落下防止ネット用フックは、次の構成を備える。
（１）前記第１又は前記第２の態様の落下防止ネット用フックと同じ構成を備える。
（２）前記底板部から前記前板部の途中高さに至る板面中央に、補強用の凸条が形成されている。
【０００８】
請求項４に対応した第４の態様の落下防止ネット用フックは、次の構成を備える。
（１）前記第１又は前記第２の態様の落下防止ネット用フックと同じ構成を備える。
（２）前記底板部から前記前板部の途中高さに至る板面が、中高の弧状に形成されている。
【考案の効果】
【０００９】
本願考案に係る落下防止ネット用フックは、以下の効果を奏する。
（１）フック部が横幅のある板面で構成されているため、落下防止ネットに強い引張り荷重が加わっても落下防止ネットの傷付き、破断のおそれが特許文献１のフックと比較して格段に低い。このため、落下防止ネットを長期間繰り返し安全に使用できる。とくに、前記第４の態様の落下防止ネット用フックは、底板部から前記前板部の途中高さに至る板面が中高の弧状になっているため、落下防止ネットをこの板面の左右両端縁部で傷めることなくフック部に掛けることができる。
（２）フック部の掛け口が深いため、落下防止ネットを確実に掛けることができ、落下防止ネットが風で煽（あお）られても、掛けた状態から抜け外れるおそれが格段に低い。
（３）フック部が前下方に突出する方向に傾斜しているため、落下防止ネットに大きな引張り方向の荷重が加わってもフック部は変形しにくく、大きな荷重強度と強い引張り強度も耐える。
【００１０】
第２の態様の落下防止ネット用フックは、底板部が前上がりに傾斜しているため、フック部は更に変形しにくい丈夫なものになっている。
【００１１】
第３の態様の落下防止ネット用フックは、底板部から前板部の途中高さに至る板面中央に補強用の凸条が形成されているため、フック部は更に一層変形しにくい丈夫なものになっている。
【００１２】
第４の態様の落下防止ネット用フックのように、底板部から前板部の途中高さに至る板面が中高の弧状に形成されている場合にも、フック部は更に一層変形しにくい丈夫なものになる。
【考案を実施するための形態】
【００１３】
本願考案の好適とされる実施形態の落下防止ネット用フックを図面に沿って説明する。
【図面の簡単な説明】
【００１４】
【図１】実施形態１による落下防止ネット用フックの斜視図。
【図２】（ａ）はこの落下防止ネット用フックの正面図、（ｂ）は側面図、（ｃ）は背面図、（ｄ）は（ａ）におけるＡ−Ａ断面図。
【図３】（ａ）は木枠の内側に落下防止ネットを広げて掛けた状態を示した斜視図、（ｂ）はこの状態の平面図。
【図４】（ａ）はこのフックに落下防止ネットを掛けた状態を拡大して示した斜視図、（ｂ）はこのフックの装着状態を示した側面断面図。
【図５】このフックが木ねじを中心にして回動可能に装着されている状態を示した正面図。
【図６】落下防止ネットを掛けた木枠を建築中の建物の上に載せる作業を示した斜視図。
【図７】（ａ）はこの作業を終えた状態の斜視図、（ｂ）はその平面図。
【図８】建物の二階の天井高さの位置に落下防止ネットを掛けた状態を示した斜視図。
【図９】（ａ）はこのフックを柱の室内に向けた面に装着して、落下防止ネットを掛けた状態を示した斜視図、（ｂ）はこの一部を拡大して示した図。
【図１０】（ａ）はこのフックを柱の側面に装着して、落下防止ネットを掛けた状態を示した斜視図、（ｂ）はこの一部を拡大して示した図。建物の部屋ごとに落下防止ネットを広げて掛けた状態を示した平面図。
【図１１】（ａ）は実施形態２に係る落下防止ネット用フックの斜視図、（ｂ）は正面図、（ｃ）は側面図。
【図１２】（ａ）は実施形態３に係る落下防止ネット用フックの正面図、（ｂ）は実施形態３に係る落下防止ネット用フックの正面図。
【図１３】（ａ）は実施形態４に係る落下防止ネット用フックの斜視図、（ｂ）はこのフックの装着状態を示した斜視図。
【図１４】（ａ）は従来技術による落下防止ネット用フックの正面図、（ｂ）は側面図、（ｃ）は使用状態図、（ｄ）はその一部を拡大して示した正面図、（ｅ）は同じく右側面図。
【実施例】
【００１５】
〔実施形態１の落下防止ネット用フック１〕
＝概要＝
図１に示す実施形態１の落下防止ネット用フック１は、このフック１を所望の箇所の面に装着する面になる装着用板部２と、落下防止ネット（不図示）の端部を掛けるフック部３とを備えた概略構造を有する、横幅がある板面で構成された金属板製のプレス一体成型品である。
【００１６】
この金属板は、例えば、板厚が約１.６ｍｍのクロムメッキ鋼板が該当する。亜鉛メッキ鋼板、ガルバリウム鋼板（登録商標）、ステンレス板を用いることも可能である。
【００１７】
図１を参照しつつ図２（ａ）~（ｄ）において、出願人が試作した落下防止ネット用フック１によると、上下高さＨが約５５ｍｍ、横幅Wが約２３ｍｍ、奥行きＤが約２２ｍｍある。
落下防止ネット用フック１の各部の詳細は次のとおりである。
【００１８】
＝装着用板部２＝
装着用板部２は、上端の両角が丸み処理された方形を有する。装着用板部２の略中央箇所には、落下防止ネット用フック１の装着に用いるねじのねじ軸部（いずれも不図示）を挿通させる孔２ａが開設されている。
【００１９】
＝フック部３＝
フック部３は、装着用板部２の下端から前下方に延出して設けられた背板部４と、背板部４の下端から前方に延出して設けられた底板部５と、底板部５の前端から上方に起立して設けられた前板部６とによって構成されている。
【００２０】
＝背板部４＝
背板部４は、装着用板部２の下縁部と同幅で延出し、高さ途中箇所から左右の縁部下方に向かうに従って内側に傾斜した、上端よりも下端の横幅が狭い上下逆向きの二等辺台形状を有する。出願人が試作した落下防止ネット用フック１によると、背板部４は上下長さＬ１が約３６．５ｍｍあり、傾斜角θが約３６°あり、下端の横幅Ｗ１が約１０ｍｍある。
【００２１】
＝底板部５＝
底板部５は、落下防止ネットを掛ける底板になる。出願人が試作した落下防止ネット用フック１によると、背板部４の下端の横幅Ｗ１と略同じ横幅（約１０ｍｍ）がある。底板部５の上面における前後幅Ｓ１が約４．８ｍｍある。底板部５は、前上がりに傾斜しており、水平方向に対する傾斜角θ１が約５０°ある。
【００２２】
＝前板部６＝
前板部６は、背板部４と同程度の上下高さがある。このため、フック部３の掛け口３ａが深くなっている。前板部６は、主前板面６ａとその上方の上端近傍面６ｂとによって区分けされる。主前板面６ａは垂直方向よりも後方に傾斜している。出願人が試作した落下防止ネット用フック１によると、水平方向に対する傾斜角θ２が約１０５°あり、垂直方向に対して約１５°後方に傾斜している。上端近傍面６ｂは、更に後方に傾斜して、背板部４と略平行に向けられている。上端近傍面６ｂと背板部４との間の前後幅Ｓ２が約６．８ｍｍあり、この寸法がフック部３の掛け口３ａの前後幅になる。
【００２３】
＝補強部７＝
補強部７は、フック部３に強い引張り荷重が加わってもフック部３が曲がらないようにするために、プレス加工によって設けられている。
実施形態１において、補強部７は、底板部５から前板部６の途中高さに至る板面中央に形成された丸みのある凸条で構成されている。この凸条は底板部５の上面や前板部６の内側面（後部面）から見た形状であり、畝（うね）形状となって表れる。底板部５の下面や前板部６の前面から見ると丸みのある凹溝となって表れる。
【００２４】
フック部３に大きな引張り荷重が加わると、底板部５と前板部６と間にある折曲部を開かせる方向の変形が生じ易いが、凹凸構造の補強部７があるため、この変形は大幅に抑えられる。凸条に丸みを持たせたのは、落下防止ネットを傷めずに掛けるようにするためである。
【００２５】
〔装着例１〕
＝木枠３０に向けた装着＝
図３（ａ）（ｂ）に示す装着例１においては、落下防止ネット用フック１が木枠３０の内側面に装着される。
木枠３０は、戸建住宅や集合住宅、施設等の建物の上階（例えば二階）の床下近傍の高さの位置の床下梁（下階の天井裏の梁）になる。
木枠３０は、建物の広さや戸数、間取りなどによっても異なるが、複数の戸数や部屋数を合わせた大きなものと、部屋単位の小さなものとに大別できる。いずれの大きさの木枠３０も落下防止ネット用フック１の装着対象になる。木枠３０は、多くは建物に取付ける前に木組みされて出来上がっている。
【００２６】
落下防止ネット用フック１は、木枠３０の内側面の４箇所に装着される。４箇所の数は一例であり、４箇所以上に装着することも可能である。この装着は、住宅建築会社の工場で行われている。
【００２７】
この装着の後、落下防止ネット２０が木枠３０の内側で広げられて、落防止ネット２０の四方の端部が落下防止ネット用フック１，１・・に掛けられる。
【００２８】
図４（ａ）（ｂ）において、落下防止ネット用フック１の装着と、落下防止ネット２０の掛止を拡大して示す。
落下防止ネット用フック１は、ナベ頭の木ねじ１１を用いて木枠３０の内側面に装着される。木枠３０の内側面は建物の室内に向けた面になる。木ねじ１１は、本願請求項１に記載のねじに相当する。
【００２９】
図５に示すように、落下防止ネット用フック１に斜め方向の強い引張り荷重が加わると、落下防止ネット用フック１は木ねじ１１を中心にしてこの方向に回動する。この回動は木ねじ１１の締結の加減で調整されている。この回動は、落下防止ネット２０の掛止を不用意に外れないようにするためにある。
【００３０】
〔施工例１〕
＝木枠３０の取付け＝
図６に示すように、落下防止ネット２０を張設した木枠３０は、吊り下げ用ワイヤー５０を用いてクレーン４０で吊り下げられて、建築中の建物６０の二階床梁６２の上に取付けられる。
【００３１】
図７（ａ）（ｂ）はこの取付けの施工を終えた状態が示されている。
落下防止ネット２０を張設した木枠３０が建築中の建物６０の上に取付けられると、二階（上階）の建築作業中に作業者が誤って建物６０の内側に落下することがあっても、落下防止ネット２０で受け止められる。このため、作業者が下階まで落下する事故は防止される。また、二階（上階）の建築作業中に建築資材や工具を建物６０の内側に落下しても、落下防止ネット２０で受け止められるため、下階における破損や事故は防止される。
【００３２】
〔施工例２〕
図８に示すように、二階（上階）の天井高さの位置で作業する場合にも、二階の天井梁６２の上に落下防止ネット２０が張り付けられた木枠３０を取付けると、この高さの位置から建物の内側に落下する事故は防止される。
【００３３】
建物の建築作業が終盤の工程になると、落下防止ネット２０は取外されるが、木枠３０は建物の木組みの一部になる。建物の内装の施工がされると、落下防止ネット用フック１は、隠れて見えなくなるため、装着したまま残しても問題ない。
【００３４】
〔装着例２〕
＝柱６１の室内面に向けた装着＝
図９（ａ）（ｂ）に示すように、落下防止ネット用フック１を柱６１の室内に向けた面に装着することも可能である。落下防止ネット用フック１が装着される箇所は、建物の施工が終えたときに柱６１の隠れて見えなく箇所である。
【００３５】
〔装着例３〕
＝柱６１の側面に向けた装着＝
図１０（ａ）（ｂ）に示すように、落下防止ネット用フック１を柱６１の側面に装着することも可能である。落下防止ネット用フック１が装着される箇所は、建物の内装を終えたときに柱６１の隠れて見えなく箇所になる。工場で前以て落下防止ネット用フック１を柱６１の側面に装着しても、落下防止ネット用フック１が柱６１の梱包・搬送をするときの障害にならない。
【００３６】
〔実施形態２の落下防止ネット用フック１Ａ〕
図１１（ａ）（ｂ）（ｃ）に示す実施形態２の落下防止ネット用フック１Ａにおいては、背板部４が上端から下端まで同幅であり、底板部５も横方向に広い幅がある板面になっている。底板部５の左右の両端縁部は下方に折曲されて垂下部５Ｌ,５Ｒが形成されている。垂下部５Ｌ,５Ｒは落下防止ネットを傷付けずに掛けるためにある。この他の構造は前述した実施形態１と同様である。
【００３７】
〔実施形態３，４の落下防止ネット用フック１Ｂ、１Ｃ〕
図１２（ａ）に示す実施形態３の落下防止ネット用フック１Ｂと、図１２（ｂ）に示す実施形態４の落下防止ネット用フック１Ｃは、いずれも底板部５から前板部６の途中高さに至る板面が中高の弧状に形成されている。
このように構成すると、フック部３の耐荷重強度や耐引張り強度が向上し、前述した補強部の代わりになり、落下防止ネットが底板部５の左右の両端縁部に強く接触して傷付くという事態が防止される。
【００３８】
〔実施形態５の落下防止ネット用フック１Ｄ〕
図１３（ａ）（ｂ）に示す実施形態５の落下防止ネット用フック１Ｄは、装着用板部２が、前板面２Ｆと上板面２Ｄとからなる、側面視上下逆Ｌ字形状に折曲されている。そして、木ねじ１１のねじ軸部を挿通させる孔２ａが上板面２Ｄに設けられている。
落下防止ネット用フック１Ｄを用いると、木ねじ１１の螺入・締結を上方から行うことができるため、このフック１Ｄの装着作業が建物の建築現場で楽に行える。
【００３９】
図示していないが、実施形態１〜４の落下防止ネット用フック１,１Ａ
〜１Ｄは、建物の鉄骨（例：角形鋼管）に装着することもできる。この装着においては、木ねじに代えてビスが用いられ、鉄骨の装着箇所に、ねじ孔が工場で形成されている。このビスも本願請求項１に記載のねじに相当する。
【産業上の利用可能性】
【００４０】
本願考案に係る落下防止ネット用フックは、建物の建築現場において落下防止ネットを取付けるために用いられる建築用安全金具であり、建築の分野で利用される。
【符号の説明】
【００４１】
１    （実施形態１の）落下防止ネット用フック
１Ａ  （実施形態２の）落下防止ネット用フック
１Ｂ  （実施形態３の）落下防止ネット用フック
１Ｃ  （実施形態４の）落下防止ネット用フック
１Ｄ  （実施形態５の）落下防止ネット用フック
２    装着用板部
２Ｆ  前板面
２Ｄ  上板面
２ａ  孔
３    フック部
３ａ  掛口
４    背板部
５    底板部
５Ｌ,５Ｒ  垂下部
６    前板部
６ａ  主前板面
６ｂ  上端近傍面
７    補強部
１０    木ねじ（ねじ）
２０    防止ネット
３０    木枠
６０    建築中の建物
６１    柱
６２    天井梁
【図１】
0003230178.tif 000003
【図２】
0003230178.tif 000004
【図３】
0003230178.tif 000005
【図４】
0003230178.tif 000006
【図５】
0003230178.tif 000007
【図６】
0003230178.tif 000008
【図７】
0003230178.tif 000009
【図８】
0003230178.tif 000010
【図９】
0003230178.tif 000011
【図１０】
0003230178.tif 000012
【図１１】
0003230178.tif 000013
【図１２】
0003230178.tif 000014
【図１３】
0003230178.tif 000015
【図１４】
0003230178.tif 000016